(57)【特許請求の範囲】
【請求項１】
複数本のハンガーを掛けるための衣服用ハンガー掛け具（１；１００；２００；３００）であって、
第１乃至第４の側面（１０1〜１０4；１１０1〜１１０4；２１０1〜２１０4；３１０1〜３１０4）を有する本体部（１０；１１０；２１０；３１０）と、
該本体部の前記第１の側面（１０1；１１０1；２１０1；３１０1）側に設けられた、かつ、前記衣服用ハンガー掛け具を横にして使用する場合には前記本体部の前記第１の側面の上に位置するとともに前記衣服用ハンガー掛け具を縦にして使用する場合には前記本体部の前記第４の側面（１０4；１１０4；２１０4；３１０4）の上に位置するように動かすことができる第１のフック（２０1；１２０1；２２０1；３２０1）と、
前記本体部の前記第１の側面（１０1；１１０1；２１０1；３１０1）側に前記第１のフックよりも前記本体部の前記第４の側面に対向する前記第２の側面（１０2；１１０2；２１０2；３１０2）側に設けられた第２のフック（２０2；１２０2；２２０2；３２０2）と、
前記複数本のハンガーをそれぞれ掛けるための複数個のハンガー掛け手段と、
前記本体部の前記第４の側面側に前記第１のフックよりも前記第３の側面側に設けられた第３のフック（２０3）と、
を備え、
前記本体部の前記第１の側面と対向する前記第３の側面（１０3；１１０3；２１０3；３１０3）が、前記第４の側面から前記第２の側面に向けて前記第１の側面との距離が段階的に小さくなるような階段状とされており、
前記複数個のハンガー掛け手段が、前記本体部の前記第１および第３の側面に沿った第１の間隔（Ｌ）が前記本体部の前記第２および第４の側面に沿った第２の間隔（Ｓ）よりも広くなるように前記本体部の前記第３の側面の各段差部付近にそれぞれ設けられており、
前記第１乃至第３のフックが、第１乃至第３のフック部（２１1；２１2；２１3）と第１乃至第３のリング状部（２２1；２２2；２２3）とをそれぞれ有し、
前記本体部に、前記第１乃至第３のフックの前記第１乃至第３のリング状部が隙間をもってそれぞれ通される第１乃至第３の孔（１１1；１１2；１１3）があけられている、
ことを特徴とする、衣服用ハンガー掛け具。
【請求項２】
複数本のハンガーを掛けるための衣服用ハンガー掛け具（１；１００；２００；３００）であって、
第１乃至第４の側面（１０1〜１０4；１１０1〜１１０4；２１０1〜２１０4；３１０1〜３１０4）を有する本体部（１０；１１０；２１０；３１０）と、
該本体部の前記第１の側面（１０1；１１０1；２１０1；３１０1）側に設けられた、かつ、前記衣服用ハンガー掛け具を横にして使用する場合には前記本体部の前記第１の側面の上に位置するとともに前記衣服用ハンガー掛け具を縦にして使用する場合には前記本体部の前記第４の側面（１０4；１１０4；２１０4；３１０4）の上に位置するように動かすことができる第１のフック（２０1；１２０1；２２０1；３２０1）と、
前記本体部の前記第１の側面（１０1；１１０1；２１０1；３１０1）側に前記第１のフックよりも前記本体部の前記第４の側面に対向する前記第２の側面（１０2；１１０2；２１０2；３１０2）側に設けられた第２のフック（２０2；１２０2；２２０2；３２０2）と、
前記複数本のハンガーをそれぞれ掛けるための複数個のハンガー掛け手段と、
第１および第２のストッパ部材（１８１，１８２）と該第１および第２のストッパ部材に両端がそれぞれ固着された第２の軸（１８３）とを有する、かつ、該第１および第２のストッパ部材を前記本体部の前記第２および第４の側面に平行にあけられた細長い孔（１７２）に沿って動かすことができるように該第２の軸が該細長い孔に隙間をもって貫通された第１のストッパ（１８０；２８０；３８０）と、
前記本体部の前記第４の側面側に設けられた第２のストッパ（１９０；２９０；３９０）と、
を備え、
前記本体部の前記第１の側面と対向する前記第３の側面（１０3；１１０3；２１０3；３１０3）が、前記第４の側面から前記第２の側面に向けて前記第１の側面との距離が段階的に小さくなるような階段状とされており、
前記複数個のハンガー掛け手段が、前記本体部の前記第１および第３の側面に沿った第１の間隔（Ｌ）が前記本体部の前記第２および第４の側面に沿った第２の間隔（Ｓ）よりも広くなるように前記本体部の前記第３の側面の各段差部付近にそれぞれ設けられており、
前記第１のフック（１２０1；２２０1；３２０1）が、フック部（１２１1；２２１1；３２１1）と該フック部の根元から２股に分かれたかつ前記本体部の表面側および裏面側にそれぞれ延びるＬ字状の第１および第２の脚部（１２２1，１２２2；２２２1，２２２2；３２２1，３２２2）とを有し、
前記第１のフックの前記第１および第２の脚部の第１および第２の屈曲部には、前記本体部の前記第４の側面側にあけられた軸用孔（１７１）を中心として回転可能に該第１のフックを前記本体部に取り付けるために、該軸用孔に隙間をもって貫通された第１の軸（１２３）の両端がそれぞれ固着されており、
前記衣服用ハンガー掛け具を縦にして使用するときには、前記第１のストッパの前記第１および第２のストッパ部材を前記細長い孔の前記本体部の前記第１の側面側の端まで動かして前記第１のフックの前記第１および第２の脚部の先端部が該第１および第２のストッパ部材に当接するとともに前記第１のフックの前記第１および第２の脚部が前記第２のストッパに当接して該第１および第２の脚部が前記本体部の前記第２および第４の側面とほぼ垂直になるようにして、該衣服用ハンガー掛け具が衣服の重みによって回転することを防止する、
ことを特徴とする、衣服用ハンガー掛け具。
【請求項３】
前記第１のフックの前記フック部（１２１1；２２１1；３２１1）が、前記衣服用ハンガー掛け具（１００；２００；３００）を縦にして使用する場合に該衣服用ハンガー掛け具を２点で掛けることができるように根元からＶ字状に分かれていることを特徴とする、請求項２記載の衣服用ハンガー掛け具。
【請求項４】
前記第１のフックが、前記衣服用ハンガー掛け具（１００；２００；３００）を縦にして使用した場合に前記複数個のハンガー掛け手段がすべて前記第１のフックの前記フック部の２点引掛け部の鉛直線上の内側に入るように設けられていることを特徴とする、請求項３記載の衣服用ハンガー掛け具。
【請求項５】
前記第１のフックが、根元からＶ字状に分かれたフック部の代わりに、１枚の板からなるフック部を有し、該フック部の引掛け部が、前記衣服用ハンガー掛け具を縦にして使用した場合に前記複数個のハンガー掛け手段がすべて引掛け部の両端の鉛直線上の内側に入る幅を有することを特徴とする、請求項２記載の衣服用ハンガー掛け具。
【請求項６】
前記ハンガー掛け手段が、前記本体部の前記第３の側面の段差部付近にあけられたリング用孔（１２1〜１２5）に隙間をもって通されたリング（３０1〜３０5）であることを特徴とする、請求項１乃至５いずれかに記載の衣服用ハンガー掛け具。
【請求項７】
前記ハンガー掛け手段が、前記本体部の前記第３の側面の段差部付近にあけられたハンガー掛け用孔（２３０1〜２３０5）であることを特徴とする、請求項１乃至５いずれかに記載の衣服用ハンガー掛け具。
【請求項８】
前記ハンガー掛け手段が、前記本体部の前記第３の側面の段差部付近にあけられたリング状のハンガー掛け用爪（３３０1〜３３０5）であることを特徴とする、請求項１乃至５いずれかに記載の衣服用ハンガー掛け具。
【請求項９】
前記ハンガー掛け手段が、フック部と前記本体部の前記第３の側面の段差部付近にあけられたリング用孔に隙間をもって通されたリング状部とを有するハンガー掛け用フックであることを特徴とする、請求項１乃至５いずれかに記載の衣服用ハンガー掛け具。
【発明の詳細な説明】
【技術分野】
【０００１】
本発明は、複数本の衣服用ハンガー（以下、「ハンガー」と称する。）を掛けられる衣服用ハンガー掛け具に関し、特に、衣服用ハンガー掛け具を横にして使用する場合と縦にして使用する場合とでハンガーを掛ける間隔を変えることができる衣服用ハンガー掛け具に関する。
【背景技術】
【０００２】
洗濯した複数枚の衣服を同時に干すために複数本のハンガーを掛けられる衣服用ハンガー掛け具として、たとえば以下の特許文献に開示されているものが提案されている。
【特許文献１】特開平１１−３４０３００号公報
【発明の開示】
【発明が解決しようとする課題】
【０００３】
しかしながら、このような複数本のハンガーを掛けられる衣服用ハンガー掛け具は、複数本のハンガーを一定の間隔で掛けるものであり、洗濯した衣服を外で干すために使用するものは衣服が乾き易いように複数本のハンガーを広い間隔で掛けられるようにされており、一方、衣服をタンスなどに収納したり洗濯した衣服を室内で干したりするために使用するものはスペースをとらないように複数本のハンガーを狭い間隔で掛けるようにされている。そのため、衣服用ハンガー掛け具を購入する場合には、その使用目的に応じた間隔のものを選ぶ必要がある。
【０００４】
本発明の目的は、複数本のハンガーを掛けられる衣服用ハンガー掛け具を横にして使用する場合と縦にして使用する場合とでハンガーを掛ける間隔を変えることができる衣服用ハンガー掛け具を提供することにある。
【課題を解決するための手段】
【０００５】
本発明の衣服用ハンガー掛け具は、複数本のハンガーを掛けるための衣服用ハンガー掛け具（１；１００；２００；３００）であって、第１乃至第４の側面（１０1〜１０4；１１０1〜１１０4；２１０1〜２１０4；３１０1〜３１０4）を有する本体部（１０；１１０；２１０；３１０）と、該本体部の前記第１の側面（１０1；１１０1；２１０1；３１０1）側に設けられた、かつ、前記衣服用ハンガー掛け具を横にして使用する場合には前記本体部の前記第１の側面の上に位置するとともに前記衣服用ハンガー掛け具を縦にして使用する場合には前記本体部の前記第４の側面（１０4；１１０4；２１０4；３１０4）の上に位置するように動かすことができる第１のフック（２０1；１２０1；２２０1；３２０1）と、前記本体部の前記第１の側面（１０1；１１０1；２１０1；３１０1）側に前記第１のフックよりも前記本体部の前記第４の側面に対向する前記第２の側面（１０2；１１０2；２１０2；３１０2）側に設けられた第２のフック（２０2；１２０2；２２０2；３２０2）と、前記複数本のハンガーをそれぞれ掛けるための複数個のハンガー掛け手段と、前記本体部の前記第４の側面側に前記第１のフックよりも前記第３の側面側に設けられた第３のフック（２０3）とを備え、前記本体部の前記第１の側面と対向する前記第３の側面（１０3；１１０3；２１０3；３１０3）が、前記第４の側面から前記第２の側面に向けて前記第１の側面との距離が段階的に小さくなるような階段状とされており、前記複数個のハンガー掛け手段が、前記本体部の前記第１および第３の側面に沿った第１の間隔（Ｌ）が前記本体部の前記第２および第４の側面に沿った第２の間隔（Ｓ）よりも広くなるように前記本体部の前記第３の側面の各段差部付近にそれぞれ設けられており、前記第１乃至第３のフックが、第１乃至第３のフック部（２１1；２１2；２１3）と第１乃至第３のリング状部（２２1；２２2；２２3）とをそれぞれ有し、前記本体部に、前記第１乃至第３のフックの前記第１乃至第３のリング状部が隙間をもってそれぞれ通される第１乃至第３の孔（１１1；１１2；１１3）があけられていることを特徴とする。
また、本発明の衣服用ハンガー掛け具は、複数本のハンガーを掛けるための衣服用ハンガー掛け具（１；１００；２００；３００）であって、第１乃至第４の側面（１０1〜１０4；１１０1〜１１０4；２１０1〜２１０4；３１０1〜３１０4）を有する本体部（１０；１１０；２１０；３１０）と、該本体部の前記第１の側面（１０1；１１０1；２１０1；３１０1）側に設けられた、かつ、前記衣服用ハンガー掛け具を横にして使用する場合には前記本体部の前記第１の側面の上に位置するとともに前記衣服用ハンガー掛け具を縦にして使用する場合には前記本体部の前記第４の側面（１０4；１１０4；２１０4；３１０4）の上に位置するように動かすことができる第１のフック（２０1；１２０1；２２０1；３２０1）と、前記本体部の前記第１の側面（１０1；１１０1；２１０1；３１０1）側に前記第１のフックよりも前記本体部の前記第４の側面に対向する前記第２の側面（１０2；１１０2；２１０2；３１０2）側に設けられた第２のフック（２０2；１２０2；２２０2；３２０2）と、前記複数本のハンガーをそれぞれ掛けるための複数個のハンガー掛け手段と、第１および第２のストッパ部材（１８１，１８２）と該第１および第２のストッパ部材に両端がそれぞれ固着された第２の軸（１８３）とを有する、かつ、該第１および第２のストッパ部材を前記本体部の前記第２および第４の側面に平行にあけられた細長い孔（１７２）に沿って動かすことができるように該第２の軸が該細長い孔に隙間をもって貫通された第１のストッパ（１８０；２８０；３８０）と、前記本体部の前記第４の側面側に設けられた第２のストッパ（１９０；２９０；３９０）とを備え、前記本体部の前記第１の側面と対向する前記第３の側面（１０3；１１０3；２１０3；３１０3）が、前記第４の側面から前記第２の側面に向けて前記第１の側面との距離が段階的に小さくなるような階段状とされており、前記複数個のハンガー掛け手段が、前記本体部の前記第１および第３の側面に沿った第１の間隔（Ｌ）が前記本体部の前記第２および第４の側面に沿った第２の間隔（Ｓ）よりも広くなるように前記本体部の前記第３の側面の各段差部付近にそれぞれ設けられており、前記第１のフック（１２０1；２２０1；３２０1）が、フック部（１２１1；２２１1；３２１1）と該フック部の根元から２股に分かれたかつ前記本体部の表面側および裏面側にそれぞれ延びるＬ字状の第１および第２の脚部（１２２1，１２２2；２２２1，２２２2；３２２1，３２２2）とを有し、前記第１のフックの前記第１および第２の脚部の第１および第２の屈曲部には、前記本体部の前記第４の側面側にあけられた軸用孔（１７１）を中心として回転可能に該第１のフックを前記本体部に取り付けるために、該軸用孔に隙間をもって貫通された第１の軸（１２３）の両端がそれぞれ固着されており、前記衣服用ハンガー掛け具を縦にして使用するときには、前記第１のストッパの前記第１および第２のストッパ部材を前記細長い孔の前記本体部の前記第１の側面側の端まで動かして前記第１のフックの前記第１および第２の脚部の先端部が該第１および第２のストッパ部材に当接するとともに前記第１のフックの前記第１および第２の脚部が前記第２のストッパに当接して該第１および第２の脚部が前記本体部の前記第２および第４の側面とほぼ垂直になるようにして、該衣服用ハンガー掛け具が衣服の重みによって回転することを防止することを特徴とする。
ここで、前記第１のフックの前記フック部（１２１1；２２１1；３２１1）が、前記衣服用ハンガー掛け具（１００；２００；３００）を縦にして使用する場合に該衣服用ハンガー掛け具を２点で掛けることができるように根元からＶ字状に分かれていてもよい。
さらにまた、前記第１のフックが、前記衣服用ハンガー掛け具を縦にして使用した場合に前記複数個のハンガー掛け手段がすべて前記第１のフックの前記フック部の２点引掛け部の鉛直線上の内側に入るように設けられていてもよい。
また、前記第１のフックが、根元からＶ字状に分かれたフック部の代わりに、１枚の板からなるフック部を有し、該フック部の引掛け部が、前記衣服用ハンガー掛け具を縦にして使用した場合に前記複数個のハンガー掛け手段がすべて該引掛け部の両端の鉛直線上の内側に入る幅を有してもよい。
さらにまた、前記ハンガー掛け手段が、前記本体部の前記第３の側面の段差部付近にあけられたリング用孔（１２1〜１２5）に隙間をもって通されたリング（３０1〜３０5）であってもよい。
さらにまた、前記ハンガー掛け手段が、前記本体部の前記第３の側面の段差部付近にあけられたハンガー掛け用孔（２３０1〜２３０5）であってもよい。
さらにまた、前記ハンガー掛け手段が、前記本体部の前記第３の側面の段差部付近にあけられたリング状のハンガー掛け用爪（３３０1〜３３０5）であってもよい。
さらにまた、前記ハンガー掛け手段が、フック部と前記本体部の前記第３の側面の段差部付近にあけられたリング用孔に隙間をもって通されたリング状部とを有するハンガー掛け用フックであってもよい。
【発明の効果】
【０００６】
本発明の衣服用ハンガー掛け具は以下に示すような効果を奏する。
（１）本体部の第３の側面の各段差部付近に設けられるハンガー掛け手段の本体部の第１および第３の側面に沿った第１の間隔を本体部の第２および第４の側面に沿った第２の間隔よりも広くすることにより、衣服用ハンガー掛け具を横にして使用すれば複数本のハンガーを広い第１の間隔で掛けることができ、一方、衣服用ハンガー掛け具を縦にして使用すれば第１の間隔よりも狭い第２の間隔で複数本のハンガーを掛けることができる。
（２）本体部が衣服の重さで回転しないようにするための第１および第２のストッパを本体部に設けることにより、衣服用ハンガー掛け具を縦にして使用する場合のフックの数を１本にすることができる。
【発明を実施するための最良の形態】
【０００７】
複数本のハンガーを掛けられる衣服用ハンガー掛け具を横にして使用する場合と縦にして使用する場合とでハンガーを掛ける間隔を変えることができるという目的を、衣服用ハンガー掛け具の本体部の第１の側面と対向する第３の側面を階段状にするとともに、本体部の第３の側面の各段差部付近に設けられるハンガー掛け手段の本体部の第１および第３の側面に沿った第１の間隔を本体部の第２および第４の側面に沿った第２の間隔よりも広くすることにより実現した。
【実施例１】
【０００８】
以下、本発明の衣服用ハンガー掛け具の実施例について図面を参照して説明する。
本発明の第１の実施例による衣服用ハンガー掛け具１は、図１に示すように、第１の側面１０1，第２の側面１０2，第１の側面１０1と対向する第３の側面１０3および第２の側面１０2と対向する第４の側面１０4を有する本体部１０と、第１乃至第３のフック２０1〜２０3と、第１乃至第５のリング３０1〜３０5とを備える。
【０００９】
ここで、第１乃至第３のフック２０1〜２０3は、第１乃至第３のフック部２１1〜２１3と第１乃至第３のリング状部２２1〜２２3とからなる。
本体部１０の第１の側面１０1側には、第１および第２の孔１１1，１１2を中心として回転可能に第１および第２のフック２０1，２０2を本体部１０に取り付けるために第１および第２のフック２０1，２０2の第１および第２のリング状部２２1，２２2が隙間をもってそれぞれ通される第１および第２の孔１１1，１１2があけられている。また、本体部１０の第４の側面１０4側の第１の孔１１1よりも第３の側面１０3側には、第３の孔１１3を中心として回転可能に第３のフック２０3を本体部１０に取り付けるために第３のフック２０3の第３のリング状部２２3が隙間をもって通される第３の孔１１3があけられている。
【００１０】
第１の孔１１1は、衣服用ハンガー掛け具１を横にして使用するときには（たとえば、図１に示すように第１および第２のフック２０1，２０2の第１および第２のフック部２１1，２１2を物干し竿４０に掛けたときには）第１のフック２０1の第１のフック部２１1が本体部１０の第１の側面１０1よりも上になり、衣服用ハンガー掛け具１を縦にして使用するときには（たとえば、図２に示すように第１および第３のフック２０1，２０3の第１および第３のフック部２１1，２１3をタンスのハンガー掛け棒５０に掛けたときには）第１のフック２０1の第１のフック部２１1が本体部１０の第４の側面１０4よりも上になる位置にあけられている。
第２の孔１１2は、衣服用ハンガー掛け具１を横にして使用するときには第２のフック２０2の第２のフック部２１2が本体部１０の第１の側面１０1よりも上になり、衣服用ハンガー掛け具１を縦にして使用するときには第２のフック２０2の第２のフック部２１2が本体部１０の第２の側面１０2側に垂れ下がるように、本体部１０の第１の側面１０1に形成された突起部にあけられている。
第３の孔１１3は、衣服用ハンガー掛け具１を横にして使用するときには第３のフック２０3の第３のフック部２１3が本体部１０の第３の側面１０3よりも下になり、衣服用ハンガー掛け具１を縦にして使用するときには第３のフック２０3の第３のフック部２１3が本体部１０の第４の側面１０4よりも上になる位置にあけられている。
【００１１】
本体部１０の第３の側面１０3は、第４の側面１０4から第２の側面１０2に向けて第１の側面１０1との距離が段階的に小さくなるような階段状とされている。また、第３の側面１０3の各段差部付近には、第１乃至第５のリング用孔１２1〜１２5を中心として回転可能に第１乃至第５のリング３０1〜３０5を本体部１０に取り付けるために第１乃至第５のリング３０1〜３０5が隙間をもってそれぞれ通される第１乃至第５のリング用孔１２1〜１２5があけられている。
ここで、本体部１０の第１および第３の側面１０1，１０3に沿った第１乃至第５のリング用孔１２1〜１２5の第１の間隔Ｌは、本体部１０の第２および第４の側面１０2，１０4に沿った第１乃至第５のリング用孔１２1〜１２5の第２の間隔Ｓよりも広くされている。
【００１２】
以上のように構成された衣服用ハンガー掛け具１では、たとえば洗濯した衣服を外に干すときには、図１に示すように第１および第２のフック２０1，２０2の第１および第２のフック部２１1，２１2を物干し竿４０に掛けて、衣服用ハンガー掛け具１を横にして使用する。このとき、第１乃至第５のリング３０1〜３０5は本体部１０の第３の側面１０3よりも下に垂れるため、洗濯された５枚の衣服がそれぞれ吊るされた第１乃至第５のハンガー（不図示）を第１乃至第５のリング３０1〜３０5にそれぞれ掛けることにより、洗濯された衣服を乾き易いように第２の間隔Ｓよりも広い第１の間隔Ｌで干すことができる。
なお、第３のフック２０3も本体部１０の第３の側面１０3よりも下に垂れるため、洗濯された他の衣服が吊るされた他のハンガー（不図示）を第３のフック２０3に掛けることもできる。
【００１３】
一方、たとえばこのようにして干されて乾いた衣服をそのままタンスに収納するときや洗濯した衣服を室内で干すときには、図２に示すように第１および第３のフック２０1，２０3の第１および第３のフック部２１1，２１3をタンスのハンガー掛け棒５０に掛けて、衣服用ハンガー掛け具１を縦にして使用する。このとき、第１乃至第５のリング３０1〜３０5は本体部１０の第２の側面１０2よりも下に垂れる。これにより、図１に示したように衣服用ハンガー掛け具１を横にして使用するときの第１の間隔Ｌよりも狭い第２の間隔Ｓで５枚の衣服をそのままタンスに収納したり室内に干したりすることができる。
なお、第３のフック２０3に洗濯された他の衣服が吊るされた他のハンガーを掛けたときには、衣服用ハンガー掛け具１を縦にして使用すると第２のフック２０2が本体部１０の第１の側面１０1に形成された突起部よりも下に垂れるため、第３のフック２０3に掛けた他のハンガーを第２のフック２０2に掛け直してこの他の衣服をタンスに収納することもできる。
【実施例２】
【００１４】
次に、本発明の第２の実施例による衣服用ハンガー掛け具１００について図３乃至図５を参照して説明する。
本実施例による衣服用ハンガー掛け具１００は、衣服用ハンガー掛け具１００を縦にして使用する場合には第１のフック１２０1だけで衣服用ハンガー掛け具１００をタンスのハンガー掛け棒５０などに掛けることができるようにして図１に示した第３のフック２０3を不要にした点で、上述した第１の実施例による衣服用ハンガー掛け具１と異なる。
すなわち、本実施例による衣服用ハンガー掛け具１００は、第１のフック１２０1の構造が図１に示した第１のフック２０1の構造と異なる点と、本体部１１０が衣服の重さで回転しないようにするための第１および第２のストッパ１８０，１９０が本体部１１０に設けられている点とで、第１の実施例による衣服用ハンガー掛け具１と異なる。
【００１５】
以下、本実施例による衣服用ハンガー掛け具１００について、第１の実施例による衣服用ハンガー掛け具１と異なる点についてのみ詳細に説明する。
まず、第１のフック１２０1の構造について詳細に説明する。
第１のフック１２０1は、部屋の壁に設けられている引っかかりにも衣服用ハンガー掛け具１００を吊るせるように太い針金を加工して作られており、また、衣服用ハンガー掛け具１００を縦にして使用する場合に衣服用ハンガー掛け具１００を２点でハンガー掛け棒５０などに掛けることができるようにその根元からＶ字状に分れた第１のフック部１２１1と、第１のフック部１２１1の根元から２股に分かれて本体部１１０の表面側および裏面側にそれぞれ延びる第１および第２の脚部１２２1，１２２2（図５参照）とからなる。
第１のフック１２０1の第１および第２の脚部１２２1，１２２2はＬ字状とされており、衣服用ハンガー掛け具１００を縦にして使用するときに第１および第２の脚部１２２1，１２２2の先端（第１のフック部１２１1と反対側）の曲げられた部分（以下、「第１および第２の先端部」と称する。）が本体部１１０の第４の側面１１０4に平行となりかつ第１の側面１１０1に向くようにされている。また、第１のフック１２０1の第１および第２の脚部１２２1，１２２2のＬ字状に曲げられた部分（以下、「第１および第２の屈曲部」と称する。）には、第１の軸１２３の両端がそれぞれ固着されている。
なお、第１の軸１２３は、軸用孔１７１を中心として回転可能に第１のフック１２０1を本体部１１０に取り付けることができるように、本体部１１０の第４の側面１１０4側にあけられた軸用孔１７１（図５参照）に隙間をもって貫通されている。
【００１６】
次に、第１のストッパ１８０について詳細に説明する。
第１のストッパ１８０は、図５に示すように、第１および第２のストッパ部材１８１，１８２と、両端が第１および第２のストッパ部材１８１，１８２にそれぞれ固着された第２の軸１８３とからなる。
第１のストッパ１８０の第２の軸１８３は、第１および第２のストッパ部材１８１，１８２を細長い孔１７２に沿って動かすことができるように、本体部１１０の第２および第４の側面１１０2，１１０4に平行にあけられた細長い孔１７２に隙間をもって貫通されている。
図４に示すように衣服用ハンガー掛け具１００を縦にして使用するときには、第１のストッパ１８０の第１および第２のストッパ部材１８１，１８２を細長い孔１７２の本体部１１０の第１の側面１１０1側の端まで動かして、第１のフック１２０1の第１および第２の脚部１２２1，１２２2の第１および第２の先端部を第１および第２のストッパ部材１８１，１８２にそれぞれ当接させる。これにより、本体部１１０が衣服の重みによって図４の時計方向に回転することを防ぐことができる。
なお、図３に示すように衣服用ハンガー掛け具１００を横にして使用するときには、第１のストッパ１８０の第１および第２のストッパ部材１８１，１８２を細長い孔１７２の反対側（本体部１１０の第３の側面１１０3側）の端までそれぞれ動かして、第１のフック１２０1の第１および第２の脚部１２２1，１２２2の第１および第２の先端部を第１および第２のストッパ部材１８１，１８２にそれぞれ当接させる。
【００１７】
次に、第２のストッパ１９０について詳細に説明する。
第２のストッパ１９０は、細長い孔１７２よりも本体部１１０の第４の側面１１０4側にあけられた孔にその両端が本体部１１０の表面および裏面からそれぞれ突出するように貫通された１本の棒からなる（図５参照）。なお、第２のストッパ１９０は本体部１１０に固着されている。
また、第２のストッパ１９０は、図４に示すように衣服用ハンガー掛け具１００を縦にして使用するときには、第１のフック１２０1の第１および第２の脚部１２２1，１２２2が第２のストッパ１９０の両端部にそれぞれ当接して第１および第２の脚部１２２1，１２２2がハンガー掛け棒５０とほぼ垂直になる位置に設けられている。これにより、本体部１１０が衣服の重みによって図４の反時計方向に回転することを防ぐことができる。
【００１８】
なお、衣服用ハンガー掛け具１００を縦にして使用した場合に第１乃至第５のリング１３０1〜１３０5がすべて第１のフック部１２１1の２点引掛け部（すなわち、第１のフック部１２１1がハンガー掛け棒５０と接触する２つの部分）の鉛直線上の内側に入るように第１のフック１２０1を設けることにより、衣服の重みで衣服用ハンガー掛け具１００が回転することをより防止することができる。
【００１９】
なお、本実施例による衣服用ハンガー掛け具１００では、第１のフック１２０1は、その根元からＶ字状に分かれた第１のフック部１２１1を有したが、ハンガー掛け棒５０との接触面積が大きくなるように１枚の板（たとえば、金属板など）からなるフック部を有してもよい。なお、このフック部の引掛け部（すなわち、このフック部がハンガー掛け棒５０と接触する部分）の幅を衣服用ハンガー掛け具１００を縦にして使用した場合に第１乃至第５のリング１３０1〜１３０5がすべてこの引掛け部の両端の鉛直線上の内側に入る幅とすることにより、衣服の重みで衣服用ハンガー掛け具１００が回転することをより防止することができる。
【実施例３】
【００２０】
次に、本発明の第３の実施例による衣服用ハンガー掛け具２００について図６を参照して説明する。
本実施例による衣服用ハンガー掛け具２００は、図３に示した第１乃至第５のリング１３０1〜１３０5の代わりに、図６に示すように、ハンガーを掛けることができる大きさの第１乃至第５のハンガー掛け用孔２３０1〜２３０5が本体部１０の第３の側面２１０3の各段差部付近にあけられている点で、上述した第２の実施例による衣服用ハンガー掛け具１００と異なる。
【００２１】
本実施例による衣服用ハンガー掛け具２００においても、衣服用ハンガー掛け具２００を縦にして使用するときのハンガーを掛ける間隔を衣服用ハンガー掛け具２００を横にして使用するときのハンガーを掛ける間隔よりも狭くするために、本体部２１０の第２および第４の側面２１０2，２１０4に沿った第１乃至第５のハンガー掛け用孔２３０1〜２３０5の第２の間隔Ｓは、本体部２１０の第１および第３の側面２１０1，２１０3に沿った第１乃至第５のハンガー掛け用孔２３０1〜２３０5の第１の間隔Ｌよりも狭くされている。
【００２２】
なお、上述した第１の実施例による衣服用ハンガー掛け具１においても、図１に示した第１乃至第５のリング３０1〜３０5の代わりに、図６に示した第１乃至第５のハンガー掛け用孔２３０1〜２３０5を本体部１０の第３の側面１０3の各段差部付近にあけてもよい。
【実施例４】
【００２３】
次に、本発明の第４の実施例による衣服用ハンガー掛け具３００について図７を参照して説明する。
本実施例による衣服用ハンガー掛け具３００は、図３に示した第１乃至第５のリング１３０1〜１３０5の代わりに、図７に示すように、ハンガーを掛けるためのリング状の第１乃至第５のハンガー掛け用爪３３０1〜３３０5が本体部３１０の第３の側面３１０3の各段差部付近に設けられている点で、上述した第２の実施例による衣服用ハンガー掛け具１００と異なる。
【００２４】
第１乃至第５のハンガー掛け用爪３３０1〜３３０5の先端部と本体部３１０の第３の側面３１０3の各段差部との間には、ハンガーが掛けられるように、隙間が設けられている。
また、衣服用ハンガー掛け具３００を縦にして使用するときのハンガーを掛ける間隔を衣服用ハンガー掛け具３００を横にして使用するときのハンガーを掛ける間隔よりも狭くするために、本体部３１０の第２および第４の側面３１０2，３１０4に沿った第１乃至第５のハンガー掛け用爪３３０1〜３３０5の第２の間隔Ｓは、本体部３１０の第１および第３の側面３１０1，３１０3に沿った第１乃至第５のハンガー掛け用爪３３０1〜３３０5の第１の間隔Ｌよりも狭くされている。
【００２５】
なお、上述した第１の実施例による衣服用ハンガー掛け具１においても、図１に示した第１乃至第５のリング３０1〜３０5の代わりに、図７に示した第１乃至第５のハンガー掛け用爪３３０1〜３３０5を本体部１０の第３の側面１０3の各段差部付近に設けてもよい。
【００２６】
以上の説明では、本体部の第３の側面の各段差部付近に設けられるハンガー掛け手段として、図１および図３に示した第１乃至第５のリング用孔１２1〜１２5，１１２1〜１１２5にそれぞれ通された第１乃至第５のリング３０1〜３０5，１３０1〜１３０5や、図６に示した第１乃至第５のハンガー掛け用孔２３０1〜２３０5や、図７に示した第１乃至第５のハンガー掛け用爪３３０1〜３３０5を用いたが、たとえば、図１に示した第１乃至第３のフック２０1〜２０3と同様に第１乃至第５のフック部と第１乃至第５のリング状部とからなる第１乃至第５のハンガー掛け用フックを用いて、第１乃至第５のハンガー掛け用フックの第１乃至第５のリング状部を第１乃至第５のリング用孔１２1〜１２5に隙間をもってそれぞれ通すようにしてもよい。
また、図３に示した第２の実施例による衣服用ハンガー掛け具１００において、第１のフック１２０1の第１のフック部１２１1を第１および第２の脚部１２２1，１２２2に回転可能に取り付けることにより、たとえば図４に示すように衣服用ハンガー掛け具１００を縦にして使用するときに、第１のフック１２０1の第１のフック部１２１1を第１および第２の脚部１２２1，１２２2に対して回転させてカーテンレールに掛ければ、カーテンレールと平行になるように５本のハンガーを第１乃至第５のリング１３０1〜１３０5に掛けることができる。その結果、窓が閉じられた状態でも、カーテンレールと平行に衣服を干したりすることができる。図６および図７に示した第３および第４の実施例による衣服用ハンガー掛け具２００，３００についても同様である。
【産業上の利用可能性】
【００２７】
本発明の衣服用ハンガー掛け具は、たとえば洗濯した衣服を外に干す場合と衣服をタンスなどに収納したり洗濯した衣服を室内で干したりする場合とでハンガーを掛ける間隔を変えることができる衣服用ハンガー掛け具として利用することができる。
【図面の簡単な説明】
【００２８】
【図１】本発明の第１の実施例による衣服用ハンガー掛け具１の構成を説明するための図である。（実施例１）
【図２】図１に示した衣服用ハンガー掛け具１をタンスなどのハンガー掛け棒５０に掛けた状態を示すための図である。（実施例１）
【図３】本発明の第２の実施例による衣服用ハンガー掛け具１００の構成を説明するための図である。（実施例２）
【図４】図３に示した衣服用ハンガー掛け具１００をタンスなどのハンガー掛け棒５０に掛けた状態を示すための図である。（実施例２）
【図５】図３に示した第１のフック１２０1の構造を示すための図である。（実施例２）
【図６】本発明の第３の実施例による衣服用ハンガー掛け具２００の構成を説明するための図である。（実施例３）
【図７】本発明の第４の実施例による衣服用ハンガー掛け具３００の構成を説明するための図である。（実施例４）
【符号の説明】
【００２９】
１，１００，２００，３００  衣服用ハンガー掛け具
１０，１１０，２１０，３１０  本体部
１０1〜１０4，１１０1〜１１０4，２１０1〜２１０4，３１０1〜３１０4  側面
１１1〜１１3，１１１2  孔
１２1〜１２5，１１２1〜１１２5  リング用孔
２０1〜２０3，１２０1，１２０2，２２０1，２２０2，３２０1，３２０2  フック
２１1〜２１3，１２１1，１２１2，２２１1，２２１2，３２１1，３２１2  フック部
２２1〜２２3  リング状部
３０1〜３０5，１３０1〜１３０5  リング
４０  物干し竿
５０  ハンガー掛け棒
１２２1，１２２2，２２２1，２２２2，３２２1，３２２2  脚部
１２３  第１の軸
１７１  軸用孔
１７２  細長い孔
１８０  第１のストッパ
１８１，１８２  ストッパ部材
１８３  第２の軸
１９０  第２のストッパ
２３０1〜２３０5  ハンガー掛け用孔
３３０1〜３３０5  ハンガー掛け用爪
Ｌ  第１の間隔
Ｓ  第２の間隔
【要約】
【課題】衣服用ハンガー掛け具を横にして使用する場合と縦にして使用する場合とでハンガーを掛ける間隔を変えることができる衣服用ハンガー掛け具を提供する。
【解決手段】衣服用ハンガー掛け具１では、本体部１０の第１の側面１０1と対向する第３の側面１０3が、第４の側面１０4から第２の側面１０2に向けて第１の側面１０1との距離が段階的に小さくなるような階段状とされている。第１乃至第５のリング３０1〜３０5が、本体部１０の第１および第３の側面１０1，１０3に沿った第１の間隔Ｌが本体部１０の第２および第４の側面１０2，１０4に沿った第２の間隔Ｓよりも広くなるように本体部１０の第３の側面１０3の各段差部付近に設けられた第１乃至第５のリング用孔１２1〜１２5に隙間をもってそれぞれ通されている。
【選択図】  図１
【図１】
0003676794.tif 000002
【図２】
0003676794.tif 000003
【図３】
0003676794.tif 000004
【図４】
0003676794.tif 000005
【図５】
0003676794.tif 000006
【図６】
0003676794.tif 000007
【図７】
0003676794.tif 000008